(57)【要約】【課題】通常の運用状態でない待機状態において、消費電力の低減を解決する移動体通信システムを提供する。【解決手段】無線装置３は、移動体端末同士のユーザ信号の送受信を運用状態において実行するユーザ信号処理部２０と、無線制御装置１から送信される制御信号を処理するインタフェース部１１と、を備えている。無線制御装置１は、無線装置３に待機信号を含む制御信号を送信して無線装置３を運用状態から待機状態に遷移させる待機設定手段と、無線装置３に再開信号を含む制御信号を送信して無線装置３を待機状態から運用状態に遷移させる再開設定手段と、を備えている。【選択図】図２
2012186657.tif 000002
【特許請求の範囲】
【請求項１】
無線制御装置及び無線装置を備え、
前記無線装置は、
移動体端末同士のユーザ信号の送受信を運用状態において実行するユーザ信号処理手段と、
前記無線制御装置から送信される制御信号を処理する制御信号処理手段と、を備え、
前記無線制御装置は、
前記無線装置に待機信号を含む制御信号を送信して前記制御信号処理手段によって前記ユーザ信号処理手段を前記運用状態から待機状態に遷移させる待機設定手段と、
前記無線装置に再開信号を含む制御信号を送信して前記制御信号処理手段によって前記ユーザ信号処理手段を前記待機状態から前記運用状態に遷移させる再開設定手段と、を備える、
ことを特徴とする移動体通信システム。
【請求項２】
前記ユーザ信号処理手段は、符号化されたベースバンド信号とアナログ信号とを相互に変換処理するベースバンド処理手段、低周波のアナログ信号と高周波の無線信号とを相互に周波数変換処理する周波数変換手段、送受信する無線信号を増幅処理する送受信増幅手段、及び当該ベースバンド処理手段、周波数変換手段、及び送受信増幅手段の各処理を統括して制御する制御手段、を備え、
前記制御信号処理手段は、スイッチを有する電源手段を制御して、待機信号によって前記ユーザ信号処理手段に対する電源の供給を停止し、再開信号によって前記ユーザ信号処理手段に対して電源を供給する電源制御手段を備える、
ことを特徴とする請求項１に記載の移動体通信システム。
【請求項３】
移動体端末同士のユーザ信号の送受信を運用状態において実行するユーザ信号処理手段と、
無線制御装置から受信する制御信号に含まれている待機信号によって前記ユーザ信号処理手段を前記運用状態から待機状態に遷移させ、制御信号に含まれている再開信号によって前記ユーザ信号処理手段を前記待機状態から前記運用状態に遷移させる制御信号処理手段と、を備える、
ことを特徴とする無線装置。
【請求項４】
前記ユーザ信号処理手段は、符号化されたベースバンド信号とアナログ信号とを相互に変換処理するベースバンド処理手段、低周波のアナログ信号と高周波の無線信号とを相互に周波数変換処理する周波数変換手段、送受信する無線信号を増幅処理する送受信増幅手段、及び当該ベースバンド処理手段、周波数変換手段、及び送受信増幅手段の各処理を統括して制御する制御手段、を備え、
前記制御信号処理手段は、スイッチを有する電源手段を制御して、待機信号によって前記ユーザ信号処理手段に対する電源の供給を停止し、再開信号によって前記ユーザ信号処理手段に対して電源を供給する電源制御手段を備える、
ことを特徴とする請求項３に記載の無線装置。
【請求項５】
前記電源制御手段は、ＣＰＲＩプロトコルに準拠したベンダー特有領域の仕様に基づいて、待機信号及び再開信号の処理を実行する、
ことを特徴とする請求項４に記載の無線装置。
【請求項６】
前記電源制御手段は、制御信号に含まれる待機信号及び再開信号を抽出する信号抽出回路と、前記信号抽出回路によって抽出される待機信号又は再開信号によって前記電源手段の前記スイッチをオフ又はオンに制御する論理回路と、を備える、
ことを特徴とする請求項４又は５に記載の無線装置。
【請求項７】
無線装置が、移動体端末同士のユーザ信号の送受信を運用状態において実行し、当該移動体端末同士のユーザ信号の送受信を待機状態において停止し、
無線制御装置が、前記無線装置に待機信号を含む制御信号を送信して前記無線装置を前記運用状態から前記待機状態に遷移させ、前記無線装置に再開信号を含む制御信号を送信して前記無線装置を前記待機状態から前記運用状態に遷移させる、
ことを特徴とする通信制御方法。
【請求項８】
移動体端末同士のユーザ信号の送受信を運用状態において実行するユーザ信号処理手段及び無線制御装置から送信される制御信号を処理する制御信号処理手段を有する無線装置に対して制御信号を送信する無線制御装置が有するコンピュータに、
前記無線装置に待機信号を含む制御信号を送信して前記制御信号処理手段によって前記ユーザ信号処理手段を前記運用状態から待機状態に遷移させる第１のステップと、
前記無線装置に再開信号を含む制御信号を送信して前記制御信号処理手段によって前記ユーザ信号処理手段を前記待機状態から前記運用状態に遷移させる第２のステップと、を実行させる、
ことを特徴とするプログラム。
【請求項９】
通信回線を介して前記無線制御装置にインストールされ及び変更される、
ことを特徴とする請求項８に記載のプログラム。
【発明の詳細な説明】
【技術分野】
【０００１】
本発明は、移動体通信システム、無線装置、通信制御方法及びプログラムに関し、更に詳しくは、遠隔操作によって運用停止及び運用再開が可能な移動体通信システム、無線装置、通信制御方法及びプログラムに関する。
【背景技術】
【０００２】
携帯電話機に代表される移動体無線端末は、最寄りの基地局装置を介して他の移動体無線端末との間で通信を行っている。近年、光網を含む通信設備の発達により、基地局装置を構成する無線制御装置（ＲＥＣ：Radio Equipment Controller）と無線装置（ＲＥ：Radio Equipment）を分離した基地局装置が普及している。無線制御装置と分離された無線装置は、鉄塔の上、商業施設のデパート等の屋上、駅の屋根、トンネルの中等、屋内外を問わず設置することができる。無線制御装置は、通常、光ファイバケーブル等の通信ケーブルで接続された無線装置の運用を制御する。
【０００３】
無線装置は、一日中動作が可能なように、電源が常時供給されている場合がほとんどである。ところが、設置場所によっては、無線装置がほとんど使用されない時間帯がある。例えば、商業地区や駅などは、営業が終了した深夜などの時間帯では、無線装置がほとんど使用されない。このような無線装置に限らず、一般に、ほとんど使用されない時間帯の電気機器においては、通常の運用状態から待機状態（スタンバイ状態）に移行させて、消費電力を低減する対策が採られている。
【０００４】
例えば、下記特許文献１には、スタンバイ状態での消費電力を削減するデータ処理装置が開示されている。特許文献１のデータ処理装置は、通常の運用状態において電源を供給するシステム電源と、スタンバイ状態において電源を供給するスタンバイ電源とを備えている。システム電源は、ＣＰＵ（Central Processing Unit）等に電源を供給する。スタンバイ電源は、サブマイコン等に電源を供給する。サブマイコンは、電源ボタンやリモコンの操作、又は、外部からのデータ受信に応答して、スタンバイ状態から通常の運用状態に遷移するために、システム電源を作動させる。
【先行技術文献】
【特許文献】
【０００５】
【特許文献１】特開２００８−０４２４２８号公報
【発明の概要】
【発明が解決しようとする課題】
【０００６】
上記特許文献１に記載のデータ処理装置では、スタンバイ状態においてサブマイコン等に電源が供給されている。しかしながら、サブマイコンは、コンピュータであり、その内部にＣＰＵ、ＲＯＭ（Read Only Memory）、ＲＡＭ（Random Access Memory）等を有する。ＣＰＵは、ＲＯＭに予め記憶されている制御プログラムを読み出してＲＡＭにストアして実行し、電源ボタンやリモコンの操作、外部からのデータ受信の監視を常時行っている。すなわち、サブマイコンは、制御プログラムに従ってデータ処理装置全体を制御するために多くの電力を消費する。
【０００７】
したがって、上記特許文献１においては、データ処理装置が通常の運用状態でないスタンバイ状態の場合でもサブマイコンによって多くの電力が常時消費されるという課題がある。
【０００８】
本発明は、上記事情に鑑みてなされたものであり、通常の運用状態でない待機状態の場合に、消費電力の低減を解決する移動体通信システムを提供することを目的とする。
【０００９】
また、本発明は、上記事情に鑑みてなされたものであり、通常の運用状態でない待機状態の場合に、消費電力の低減を解決する無線装置を提供することを目的とする。
【００１０】
また、本発明は、上記事情に鑑みてなされたものであり、通常の運用状態でない待機状態の場合に、消費電力の低減を解決する通信制御方法を提供することを目的とする。
【００１１】
また、本発明は、上記事情に鑑みてなされたものであり、通常の運用状態でない待機状態の場合に、消費電力の低減を解決するプログラムを提供することを目的とする。
【課題を解決するための手段】
【００１２】
上述の目的を達成するために、本発明の第１の観点に係る移動体通信システムは、無線制御装置及び無線装置を備え、
前記無線装置は、
移動体端末同士のユーザ信号の送受信を運用状態において実行するユーザ信号処理手段と、
前記無線制御装置から送信される制御信号を処理する制御信号処理手段と、を備え、
前記無線制御装置は、
前記無線装置に待機信号を含む制御信号を送信して前記制御信号処理手段によって前記ユーザ信号処理手段を前記運用状態から待機状態に遷移させる待機設定手段と、
前記無線装置に再開信号を含む制御信号を送信して前記制御信号処理手段によって前記ユーザ信号処理手段を前記待機状態から前記運用状態に遷移させる再開設定手段と、を備える、
ことを特徴とする。
【００１３】
上述の目的を達成するために、本発明の第２の観点に係る無線装置は、移動体端末同士のユーザ信号の送受信を運用状態において実行するユーザ信号処理手段と、
無線制御装置から受信する制御信号に含まれている待機信号によって前記ユーザ信号処理手段を前記運用状態から待機状態に遷移させ、制御信号に含まれている再開信号によって前記ユーザ信号処理手段を前記待機状態から前記運用状態に遷移させる制御信号処理手段と、を備える、
ことを特徴とする。
【００１４】
上述の目的を達成するために、本発明の第３の観点に係る通信制御方法は、無線装置が、移動体端末同士のユーザ信号の送受信を運用状態において実行し、当該移動体端末同士のユーザ信号の送受信を待機状態において停止し、
無線制御装置が、前記無線装置に待機信号を含む制御信号を送信して前記無線装置を前記運用状態から前記待機状態に遷移させ、前記無線装置に再開信号を含む制御信号を送信して前記無線装置を前記待機状態から前記運用状態に遷移させる、
ことを特徴とする。
【００１５】
上述の目的を達成するために、本発明の第４の観点に係るプログラムは、移動体端末同士のユーザ信号の送受信を運用状態において実行するユーザ信号処理手段及び無線制御装置から送信される制御信号を処理する制御信号処理手段を有する無線装置に対して制御信号を送信する無線制御装置が有するコンピュータに、
前記無線装置に待機信号を含む制御信号を送信して前記制御信号処理手段によって前記ユーザ信号処理手段を前記運用状態から待機状態に遷移させる第１のステップと、
前記無線装置に再開信号を含む制御信号を送信して前記制御信号処理手段によって前記ユーザ信号処理手段を前記待機状態から前記運用状態に遷移させる第２のステップと、を実行させる、
ことを特徴とする。
【発明の効果】
【００１６】
本発明によれば、通常の運用状態でない待機状態の場合に、消費電力の低減を図ることができる。
【図面の簡単な説明】
【００１７】
【図１】本発明の実施形態における移動体通信システムの概略を示す図である。
【図２】図１の無線装置の構成を示すブロック図である。
【図３】図１の移動体通信システムにおける通信プロトコルの概要を示す図である。
【図４】図１の無線制御装置及び無線装置によって実行されるシステムの接続手順を示すフローチャートである。
【図５】図２の無線装置におけるインタフェース部及びスイッチ付き電源部の内部構成を示す一部の回路図である。
【図６】図１の無線制御装置による通信制御方法を示すフローチャートである。
【発明を実施するための形態】
【００１８】
以下、本発明の実施形態に係る移動体通信システムについて、図１乃至図６を参照して詳細に説明する。図１は、本発明の実施形態における移動体通信システム１００の概略を示す図である。図１において、無線制御装置１及び無線装置３は、協働して基地局装置を構成する。無線制御装置１は、光ファイバケーブル２によって無線装置３と接続されている。無線装置３は、通常の運用状態においては、無線制御装置１との間で音声、文字、画像等のデータからなるユーザ信号及び制御信号の送受信を実行する。さらに、無線装置３は、運用状態においては、付属のアンテナ４を介して、無線エリア内の移動体無線端末である携帯電話機５との間で音声、文字、画像等のユーザ信号の通信処理を実行する。
【００１９】
図２は、図１の無線装置３の構成を示すブロック図である。図２において、無線装置３は、インタフェース部１１、制御部１２（制御手段）、ベースバンド処理部１３（ベースバンド処理手段）、周波数変換部１４（周波数変換手段）、送受信増幅部１５（送受信増幅手段）、リセット部１６、スイッチ付き電源部１７（電源手段）、及び電源部１８を備えている。
【００２０】
電源部１８は、運用状態又は運用停止中の待機状態にかかわらず、インタフェース部１１及びリセット部１６に対して常に電源１９ａを供給する。インタフェース部１１は、運用状態又は待機状態にかかわらず、無線制御装置１との間で制御信号の送受信を行う。
【００２１】
上述したように、無線装置３は、光ファイバケーブル２によって接続された無線制御装置１と協働してユーザ信号及び制御信号の送受信を実行する。このため、無線装置３のインタフェース部１１は、光信号と電気信号の相互変換を行う光−電気変換部（図示せず）を備えている。インタフェース部１１は、光−電気変換部によって光ファイバケーブル２を介して無線制御装置１から送信された光信号のユーザ信号及び制御信号を受信して電気信号に変換する。また、インタフェース部１１は、携帯電話機５から受信してベースバンド処理部１３等によって処理された電気信号のユーザ信号を、光−電気変換部によって光信号に変換して無線制御装置１に送信する。この場合の通信プロトコルとしては、ＣＰＲＩ：（Common Public Radio Interface）やＯＢＳＡＩ：（Open Base Station Architecture Initiative）がある。本実施形態においては、ＣＰＲＩに準拠した通信プロトコルを用いる。
【００２２】
次に、ＣＰＲＩプロトコルについて説明する。ＯＳＩの７レイヤ（Layer 1〜Layer 7）のモデルにおいては、最下位の物理レイヤから最上位のアプリケーションレイヤまでの各レイヤのプロトコルが定義されている。図３は、物理レイヤ（Layer 1）及びデータリンクレイヤ（Layer 2）のＣＰＲＩプロトコルの概要を示す図である。物理レイヤにおいては、電気的伝送特性（Electric Transmission）、光伝送特性（Optical Transmission）、データを時分割した時分割多重（Time Division Multiplexing）などが定義される。データリンクレイヤにおいては、ユーザ間のデータを示すユーザプレーン（User Plane）、制御用及び管理用の情報を示す制御・管理情報プレーン（C&M: Control & Management Plane）、互いに直交する位相の２つのデータを示すユーザプレーンデータ（IQ Data）、ベンダー（ユーザ）が独自に仕様を決定するベンダー特有領域（Vendor Specific）、物理レイヤの回線情報を示すインバンド・プロトコル（L1 Inband Protocol）、伝送路をすべてのユーザが共有するバス構造のEthernet（登録商標）、データ送受信の同期信号（SYNC）、高能率・高信頼性の伝送手順（HDLC）などが定義される。
【００２３】
次に、無線制御装置１と無線装置３との間のＣＰＲＩプロトコルに準拠した通信手順ついて説明する。図４は、その通信手順を示すフローチャートである。システムの最初の起動時において、まず、物理レイヤ（L1: Layer 1）の同期及び通信速度を設定する（ステップＳ１）。次に、サポートするプロトコルのバージョンを決定する（ステップＳ２）。次に、制御・管理情報（C&M）を送受信する速度を決定する（ステップＳ３）。そして、制御・管理情報（C&M）を確立する（ステップＳ４）。この後は、運用状態に遷移して制御信号及びユーザ信号の送受信を実行する（ステップＳ５）。
【００２４】
図３に示したＣＰＲＩプロトコルにおいて、インバンド・プロトコルの中には、無線制御装置１から無線装置３のリセット制御ができるようにするための信号がある。これはネットワークレイヤ（Layer 3）の高い状態で不具合があった場合でもリセット制御ができるようにするためのものである。
【００２５】
図２に示したインタフェース部１１は、リセット信号を処理するリセット制御を行う。さらに、ベンダー特有領域においてリセット制御を行うことができる。また、上述したように、ベンダー特有領域はベンダーが独自に仕様を決定できる。したがって、運用状態から待機状態に遷移するための待機信号の仕様、及び待機状態から運用状態に遷移するための再開信号の仕様を決定することができる。これにより、上述したように、インタフェース部１１は、ベンダー特有領域の仕様に基づいて、待機信号及び再開信号の処理を実行する。
【００２６】
次に、図２に示した無線装置３における各部の機能について説明する。まず、運用状態における無線装置３の各部の機能について説明する。図１の無線制御装置１は、設置後に起動され又は例えば保守点検後に再起動されると、無線装置３に対してリセット信号を含む制御信号を送信する。制御信号に含まれるリセット信号は、通常、符号化されたデジタル信号である。同様に、制御信号に含まれる後述する待機信号及び再開信号も、通常、符号化されたデジタル信号である。
【００２７】
無線装置３のインタフェース部１１は、無線制御装置１から受信した制御信号に含まれているリセット信号を抽出する。インタフェース部１１は、抽出したリセット信号に対して復号化処理等の信号処理を行って、スイッチ付き電源部１７及びリセット部１６にそのリセット信号を入力する。
【００２８】
スイッチ付き電源部１７は、インタフェース部１１から入力されたリセット信号によってスイッチがオフからオンに変化して、制御部１２、ベースバンド処理部１３、周波数変換部１４、及び送受信増幅部１５に電源１９ｂを供給する。
【００２９】
インタフェース部１１は、運用状態又は待機状態にかかわらず、無線制御装置１から送信される制御信号に含まれる上述のリセット信号の他に、待機信号及び再開信号を抽出する。さらに、インタフェース部１１は、運用状態においては、無線制御装置１との間でユーザ信号の送受信を行う。
【００３０】
ベースバンド処理部１３は、インタフェース部１１を経由して無線制御装置１から送信されるデジタルのユーザ信号をアナログのユーザ信号に変換して、周波数変換部１４に入力する。さらに、ベースバンド処理部１３は、周波数変換部１４から入力されるアナログのユーザ信号をデジタルのユーザ信号に変換して、インタフェース部１１経由で無線制御装置１に送信する。
【００３１】
周波数変換部１４は、ベースバンド処理部１３から入力される低周波のアナログのユーザ信号を高周波の無線信号に変換（変調）して、送受信増幅部１５に入力する。さらに、周波数変換部１４は、送受信増幅部１５から入力される無線信号をアナログのユーザ信号に変換（復調）してベースバンド処理部１３に入力する。
【００３２】
送受信増幅部１５は、周波数変換部１４から入力される無線信号を増幅して、アンテナ４を介して図１の携帯電話機５に送信する。さらに、送受信増幅部１５は、携帯電話機５から受信した無線信号を増幅して、周波数変換部１４に入力する。
【００３３】
制御部１２は、ベースバンド処理部１３、周波数変換部１４、及び送受信増幅部１５の信号処理を統括して制御すると共に、無線制御装置１との間の制御・管理情報の確立を行う。
【００３４】
リセット部１６は、インタフェース部１１から入力されたリセット信号によって、制御部１２、ベースバンド処理部１３、周波数変換部１４、及び送受信増幅部１５をリセットして、それぞれを初期状態に設定する。したがって、リセット部１６は、インタフェース部１１から入力されたリセット信号をこれらの構成要素に出力して、これらの構成要素をリセットするに十分な出力容量を持っていればよいので、極めて簡単なバッファ回路で構成することができる。
【００３５】
次に、待機状態における各部の機能について説明する。図１の無線制御装置１は、設置場所に固有の条件によって無線装置３がほとんど使用されない場合には、待機信号を有する制御信号をその無線装置３に送信する。例えば、無線制御装置１は、商業地区又は駅に設置された無線装置３がほとんど使用されない深夜の時間帯には、待機信号を含む制御信号をその無線装置３に送信する。
【００３６】
無線装置３のインタフェース部１１は、無線制御装置１から送信された制御信号に含まれる待機信号を抽出する。インタフェース部１１は、抽出した待機信号に対して復号化処理等の信号処理を行って、スイッチ付き電源部１７にその待機信号を入力する。
【００３７】
スイッチ付き電源部１７は、インタフェース部１１から入力された待機信号によってスイッチがオンからオフに変化して、制御部１２、ベースバンド処理部１３、周波数変換部１４、及び送受信増幅部１５に対する電源１９ｂの供給を停止する。したがって、待機信号が送信された後は、インタフェース部１１及びリセット部１６だけが電源部１８からの電源１９ａの供給を受けて動作する。
【００３８】
次に、待機状態から通常の運用状態に遷移する場合における各部の機能について説明する。図１の無線制御装置１は、待機状態が終了したと判定したときは、再開信号を含む制御信号を無線装置３に送信する。例えば、無線装置３が設置されている商業地区又は駅が営業時間になったときは、無線制御装置１は、待機状態が終了したと判定して、再開信号を含む制御信号を無線装置３に送信する。
【００３９】
無線装置３のインタフェース部１１は、無線制御装置１から受信した制御信号に含まれている再開信号を抽出する。インタフェース部１１は、抽出した再開信号に対して復号化等の信号処理を行って、スイッチ付き電源部１７にその再開信号を入力する。
【００４０】
スイッチ付き電源部１７は、インタフェース部１１から入力された再開信号によってスイッチがオフからオンに変化して、制御部１２、ベースバンド処理部１３、周波数変換部１４、及び送受信増幅部１５に対して電源１９ｂを供給する。したがって、無線装置３は待機状態から運用状態に遷移する。この後は、無線装置３は、無線エリア内の携帯電話機５との間で音声、文字、画像等の通信処理を実行する。なお、図２において、制御部１２、ベースバンド処理部１３、周波数変換部１４、及び送受信増幅部１５をユーザ信号処理部２０（ユーザ信号処理手段）と称する。
【００４１】
次に、図２のインタフェース部１１及びスイッチ付き電源部１７の内部構成の一例について説明する。図５は、無線装置１におけるインタフェース部１１及びスイッチ付き電源部１７の内部構成を示す一部の回路図である。もっとも、インタフェース部１１は、上述したように、ベンダー特有領域の仕様に基づいて、待機信号及び再開信号の処理を実行する。したがって、図５の回路は、本発明を容易に理解するために掲げた例示に過ぎない。すなわち、インタフェース部１１の内部構成としては、ハードウェア構成に限定されることなく、ソフトウェアのアルゴリズムを含め、様々な構成のバリエーションが可能である。種々のソフトウェア又はハードウェアにおいても、インタフェース部１１における待機信号及び再開信号の処理については、以下に説明する図５の回路の動作によって表される。
【００４２】
図５において、信号抽出回路１１１、オア回路１１２、及びＤタイプのフリップフロップ回路１１３は、インタフェース部１１の内部の回路である。スイッチ１７１は、スイッチ付き電源１７の内部のスイッチである。
【００４３】
信号抽出回路１１１は、無線制御装置１から送信される制御信号１１ａに含まれているリセット信号、待機信号、再開信号を抽出する。上述したように、リセット信号、待機信号、及び再開信号は、通常、符号化されたデジタル信号である。これらの信号の先頭部分には、例えば、特異なプリアンブル信号が付加されている。
【００４４】
信号抽出回路１１１は、制御信号の中からプリアンブル信号を検出して、リセット信号、待機信号、及び再開信号を抽出する。さらに、信号抽出回路１１１は、抽出したリセット信号、待機信号、及び再開信号を復号化して、ある時間長（それぞれが異なる時間長でも同じ時間長でもよい）のパルス信号のリセット信号１１ｂ、待機信号１１ｃ、及び再開信号１１ｄに変換する復号化回路を有する。この場合は、ハイレベル（プラス）のパルス信号に変換する。例えば、信号抽出回路１１１は、僅かな消費電力で動作が可能なシリアル／パラレル変換回路及びゲート回路によって構成される。ただし、僅かな電力で動作が可能な回路であれば、このような構成に限定されない。
【００４５】
オア回路１１２は、リセット信号１１ｂ又は再開信号１１ｄのいずれかのパルス信号をフリップフロップ回路１１３のトリガ端子ＣＫに入力する。また、信号抽出回路１１１は、待機信号１１ｃのパルス信号をフリップフロップ回路１１３のクリア端子ＣＬに入力する。
【００４６】
フリップフロップ回路１１３は、データ端子Ｄがスイッチ付き電源部１７の内部で、運用状態又は待機状態にかかわらず、常時発生される電圧Ｖｃｃに接続されている。したがって、フリップフロップ回路１１３は、トリガ端子ＣＫに与えられるパルス信号によって出力端子Ｑがハイレベルに変化する。また、フリップフロップ回路１１３は、クリア端子ＣＬに与えられるパルス信号によって出力端子Ｑがローレベルに変化する。
【００４７】
スイッチ付き電源部１７のスイッチ１７１は、例えば、半導体のアナログスイッチで構成されている。スイッチ１７１の入力端子１７１ａと出力端子１７１ｂとは、制御端子１７１ｃがハイレベルのときに短絡（スイッチ１７１がオン）となり、制御端子１７１ｃがローレベルのときに開放（スイッチ１７１がオフ）となる。
【００４８】
図５に示すように、フリップフロップ回路１１３の出力端子Ｑは、スイッチ付き電源部１７のスイッチ１７１の制御端子１７１ｃに接続されている。したがって、無線制御装置１から送信される制御信号にリセット信号又は再開信号が含まれているときには、信号抽出回路１１１から出力されるリセット信号１１ｂ又は再開信号１１ｄによって、スイッチ１７１がオンとなる。この結果、スイッチ付き電源部１７の内部で発生される電圧Ｖｃｃが、電源１９ｂとして、図２の制御部１２、ベースバンド処理部１３、周波数変換部１４、及び送受信増幅部１５に供給される。これにより、無線装置３は、ユーザ信号の送受信を実行する運用状態に遷移する。
【００４９】
これに対して、無線制御装置１から送信される制御信号に待機信号が含まれているときには、信号抽出回路１１１から出力される待機信号１１ｃによって、スイッチ１７１がオフとなる。この結果、スイッチ付き電源部１７の内部で発生される電圧Ｖｃｃは、図２の制御部１２、ベースバンド処理部１３、周波数変換部１４、及び送受信増幅部１５に供給されなくなる。これにより、無線装置３は、運用状態から待機状態に遷移して、ユーザ信号の送受信を停止するので、無線装置１の消費電力が大幅に低減する。
【００５０】
次に、無線制御装置１が無線装置３を制御する方法について説明する。図６は、図１の無線制御装置１による通信制御方法を示すフローチャートである。ここでは、商業地区又は駅等のように、ある一定の営業時間に移動体通信システム１００が使用される条件を例に採って説明する。しかしながら、他の条件の場合も同様の通信制御方法を適用することができる。
【００５１】
図１には示していないが、無線制御装置１は、ＣＰＵ（Central Processing Unit）、ＥＥＰＲＯＭ（Electric Erasable Programmable Read Only Memory）等のプログラムメモリ、ＲＡＭ（Random Access Memory）等のワークメモリを有するマイクロプロセッサ等からなるコンピュータを備えている。プログラムメモリのプログラムは、予め記憶されているが、稼働後にメモリチップ等の記録媒体を介してインストールすることも可能である。さらに、プログラムメモリのプログラムは、通信回線を介してインストールされること及び変更されることも可能である。
【００５２】
無線制御装置１の電源が投入されて起動すると、ＣＰＵは、プログラムメモリのプログラムに従って、ワークメモリのレジスタをクリアするなどの初期設定を行い（ステップＳ１１）、無線制御装置１全体を制御する。
【００５３】
ステップＳ１１の初期設定の後、ＣＰＵは、無線装置３が動作中であるか否かを判定する（ステップＳ１２）。無線装置３が動作中でない場合には（ステップＳ１２；ＮＯ）、光ファイバケーブル２を介して、無線装置３にリセット信号を送信する（ステップＳ１３）。この結果、図５の信号抽出回路１１１から出力されるリセット信号１１ｂのパルス信号が、オア回路１１２を経てフリップフロップ回路１１３のトリガ端子ＣＫに入力される。したがって、フリップフロップ回路１１３の出力端子Ｑがハイレベルになる。このため、電源部１７のスイッチ１７１の制御端子１７１ｃがハイレベルになり、短絡されたスイッチ１７１を経た電源１９ｂが図２の制御部１２、ベースバンド処理部１３、周波数変換部１４、及び送受信増幅部１５に供給される。これにより、無線装置３は、ユーザ信号の送受信を実行する運用状態に遷移する。
【００５４】
ステップＳ１３においてリセット信号を送信した後、又は、無線装置３が動作中である場合には（ステップＳ１２；ＹＥＳ）、ＣＰＵは、移動体通信システム１００の地区の営業時間が終了したか否かを判定する（ステップＳ１４）。
【００５５】
営業時間が終了していない場合には（ステップＳ１４；ＮＯ）、ＣＰＵは、ユーザ信号の送受信処理を実行する（ステップＳ１５）。すなわち、図１に示した携帯電話機５と他の携帯電話機（図示せず）との間の音声、文字、画像等のデータからなるユーザ信号の送受信を実行する。
【００５６】
営業時間が終了したときは（ステップＳ１４；ＹＥＳ）、ＣＰＵは、無線装置３に待機信号を送信する（ステップＳ１６）。この結果、図５の信号抽出回路１１１から出力される待機信号１１ｃのパルス信号が、フリップフロップ回路１１３のクリア端子ＣＬに入力される。したがって、フリップフロップ回路１１３の出力端子Ｑがローレベルになる。このため、電源部１７のスイッチ１７１の制御端子１７１ｃがローレベルになり、スイッチ１７１が開放されて、図２の制御部１２、ベースバンド処理部１３、周波数変換部１４、及び送受信増幅部１５にそれまで供給されていた電源１９ｂが停止される。これにより、無線装置３は、ユーザ信号の送受信を停止する待機状態に遷移する。
【００５７】
ステップＳ１６において待機信号を送信した後、ＣＰＵは、営業時間が開始したか否かを判別する（ステップＳ１７）。営業時間が開始していない場合には（ステップＳ１７；ＮＯ）、ＣＰＵは、他の処理を実行する（ステップＳ１８）。他の処理としては、例えば、無線制御装置１自体及び無線装置３の電源の監視、その他の異常監視、光ファイバケーブル２を含む回線の点検等がある。
【００５８】
他の処理を実行した後、ＣＰＵは、ステップＳ１７に移行して、営業時間が開始したか否かを判別する処理を継続する。営業時間が開始していない限り（ステップＳ１７；ＮＯ）、ＣＰＵは、ステップＳ１７の判別処理及びステップＳ１８のその他の処理のループを繰り返す。
【００５９】
営業時間が開始したときは（ステップＳ１７；ＹＥＳ）、ＣＰＵは、無線装置３に再開信号を送信する（ステップＳ１９）。この結果、図５の信号抽出回路１１１から出力される再開信号１１ｄのパルス信号が、オア回路１１２を経てフリップフロップ回路１１３のトリガ端子ＣＫに入力される。したがって、フリップフロップ回路１１３の出力端子Ｑが再びハイレベルになる。このため、電源部１７のスイッチ１７１の制御端子１７１ｃがハイレベルになり、再び短絡されたスイッチ１７１を経た電源１９ｂが図２の制御部１２、ベースバンド処理部１３、周波数変換部１４、及び送受信増幅部１５に供給される。これにより、待機状態であった無線装置３は、ユーザ信号の送受信を実行する運用状態に遷移する。
【００６０】
ステップＳ１９において再開信号を送信した後は、ＣＰＵは、ステップＳ１４に移行して、営業時間が終了したか否かを判定する処理を継続する。営業時間が終了しない限り（ステップＳ１４；ＮＯ）、ＣＰＵは、ステップＳ１４の判別処理及びステップＳ１５のユーザ信号の送受信処理のループを繰り返す。
【００６１】
以上のように、上記実施形態の移動体通信システム１００において、無線装置３は、移動体端末同士のユーザ信号の送受信を運用状態において実行するユーザ信号処理部２０と、無線制御装置１から送信される制御信号を処理するインタフェース部１１と、を備えている。無線制御装置１は、無線装置３に待機信号を含む制御信号を送信して無線装置３を運用状態から待機状態に遷移させる待機設定手段（図５のステップＳ１４、Ｓ１６に相当）と、無線装置３に再開信号を含む制御信号を送信して無線装置３を待機状態から運用状態に遷移させる再開設定手段（図５のステップＳ１７、Ｓ１９に相当）と、を備えている。したがって、待機状態においては、電力を多く消費するユーザ信号処理部２０の動作を停止して、運用状態に遷移するための必要最小限の制御信号だけを受信して処理するので、無線装置３全体の消費電力を大幅に低減することができる。
【００６２】
この場合において、ユーザ信号処理部２０は、符号化されたベースバンド信号とアナログ信号とを相互に変換処理するベースバンド処理部１３、低周波のアナログ信号と高周波の無線信号とを相互に周波数変換処理する周波数変換部１４、送受信する無線信号を増幅処理する送受信増幅部１５、及びベースバンド処理部１３、周波数変換部１４、及び送受信増幅部１５の各処理を統括して制御する制御部１２を備えている。また、インタフェース部１１は、スイッチ１７１を有する電源部１７を制御して、待機信号によってユーザ信号処理部２０に対する電源の供給を停止し、再開信号によってユーザ信号処理部２０に対して電源を供給する電源制御手段（例えば、図５の信号抽出回路１１１、オア回路１１２、及びフリップフロップ回路１１３に相当）を備えている。したがって、待機状態においては、電力をより多く消費する制御部１２の動作を停止して、運用状態に遷移するための必要最小限の制御信号だけを受信して処理するので、待機状態における無線装置３全体の消費電力をより大幅に低減することができる。
【００６３】
この場合において、無線装置３のインタフェース部１１は、ＣＰＲＩプロトコルに準拠したベンダー特有領域の仕様に基づいて、待機信号及び再開信号の処理を実行する。したがって、消費電力を大幅に低減するために、無線装置３の設置場所に最適な仕様を独自に決定することができる。
【００６４】
この場合において、無線装置３のインタフェース部１１のハードウェアは、無線制御装置１から送信される制御信号１１ａに含まれる待機信号１１ｃ及び再開信号１１ｄを抽出する信号抽出回路１１１と、信号抽出回路１１１によって抽出された待機信号１１ｃ又は再開信号１１ｄにより、電源部１７のスイッチ１７１をオフ又はオンに制御する論理回路と、を備えている。したがって、消費電力が極めて少ない簡単な回路構成によって、待機状態の無線装置３を運用状態に遷移させることができるので、待機状態における無線装置３全体の消費電力をより大幅に低減することができる。さらに、広く使用され信頼性の高い回路を利用することで、開発時間の短縮、開発コスト及び製品コストの低減、集積回路化による小型・軽量及び高い信頼性を図ることができる。
【００６５】
上記の実施形態の一部または全部は、以下の付記のようにも記載されうるが、以下には限られない。
【００６６】
（付記１）
無線制御装置及び無線装置を備え、
前記無線装置は、
移動体端末同士のユーザ信号の送受信を運用状態において実行するユーザ信号処理手段と、
前記無線制御装置から送信される制御信号を処理する制御信号処理手段と、を備え、
前記無線制御装置は、
前記無線装置に待機信号を含む制御信号を送信して前記制御信号処理手段によって前記ユーザ信号処理手段を前記運用状態から待機状態に遷移させる待機設定手段と、
前記無線装置に再開信号を含む制御信号を送信して前記制御信号処理手段によって前記ユーザ信号処理手段を前記待機状態から前記運用状態に遷移させる再開設定手段と、を備える、
ことを特徴とする移動体通信システム。
【００６７】
（付記２）
前記ユーザ信号処理手段は、符号化されたベースバンド信号とアナログ信号とを相互に変換処理するベースバンド処理手段、低周波のアナログ信号と高周波の無線信号とを相互に周波数変換処理する周波数変換手段、送受信する無線信号を増幅処理する送受信増幅手段、及び当該ベースバンド処理手段、周波数変換手段、及び送受信増幅手段の各処理を統括して制御する制御手段、を備え、
前記制御信号処理手段は、スイッチを有する電源手段を制御して、待機信号によって前記ユーザ信号処理手段に対する電源の供給を停止し、再開信号によって前記ユーザ信号処理手段に対して電源を供給する電源制御手段を備える、
ことを特徴とする付記１に記載の移動体通信システム。
【００６８】
（付記３）
移動体端末同士のユーザ信号の送受信を運用状態において実行するユーザ信号処理手段と、
無線制御装置から受信する制御信号に含まれている待機信号によって前記ユーザ信号処理手段を前記運用状態から待機状態に遷移させ、制御信号に含まれている再開信号によって前記ユーザ信号処理手段を前記待機状態から前記運用状態に遷移させる制御信号処理手段と、を備える、
ことを特徴とする無線装置。
【００６９】
（付記４）
前記ユーザ信号処理手段は、符号化されたベースバンド信号とアナログ信号とを相互に変換処理するベースバンド処理手段、低周波のアナログ信号と高周波の無線信号とを相互に周波数変換処理する周波数変換手段、送受信する無線信号を増幅処理する送受信増幅手段、及び当該ベースバンド処理手段、周波数変換手段、及び送受信増幅手段の各処理を統括して制御する制御手段、を備え、
前記制御信号処理手段は、スイッチを有する電源手段を制御して、待機信号によって前記ユーザ信号処理手段に対する電源の供給を停止し、再開信号によって前記ユーザ信号処理手段に対して電源を供給する電源制御手段を備える、
ことを特徴とする付記３に記載の無線装置。
【００７０】
（付記５）
前記電源制御手段は、ＣＰＲＩプロトコルに準拠したベンダー特有領域の仕様に基づいて、待機信号及び再開信号の処理を実行する、
ことを特徴とする付記４に記載の無線装置。
【００７１】
（付記６）
前記電源制御手段は、制御信号に含まれる待機信号及び再開信号を抽出する信号抽出回路と、前記信号抽出回路によって抽出される待機信号又は再開信号によって前記電源手段の前記スイッチをオフ又はオンに制御する論理回路と、を備える、
ことを特徴とする付記４又は５に記載の無線装置。
【００７２】
（付記７）
無線装置が、移動体端末同士のユーザ信号の送受信を運用状態において実行し、当該移動体端末同士のユーザ信号の送受信を待機状態において停止し、
無線制御装置が、前記無線装置に待機信号を含む制御信号を送信して前記無線装置を前記運用状態から前記待機状態に遷移させ、前記無線装置に再開信号を含む制御信号を送信して前記無線装置を前記待機状態から前記運用状態に遷移させる、
ことを特徴とする通信制御方法。
【００７３】
（付記８）
移動体端末同士のユーザ信号の送受信を運用状態において実行するユーザ信号処理手段及び無線制御装置から送信される制御信号を処理する制御信号処理手段を有する無線装置に対して制御信号を送信する無線制御装置が有するコンピュータに、
前記無線装置に待機信号を含む制御信号を送信して前記制御信号処理手段によって前記ユーザ信号処理手段を前記運用状態から待機状態に遷移させる第１のステップと、
前記無線装置に再開信号を含む制御信号を送信して前記制御信号処理手段によって前記ユーザ信号処理手段を前記待機状態から前記運用状態に遷移させる第２のステップと、を実行させる、
ことを特徴とするプログラム。
【００７４】
（付記９）
通信回線を介して前記無線制御装置にインストールされ及び変更される、
ことを特徴とする付記８に記載のプログラム。
【産業上の利用可能性】
【００７５】
本発明の移動体通信システム、無線装置、通信制御方法及びプログラムによれば、無線装置が、鉄塔の上、商業施設のデパート等の屋上、駅の屋根、トンネルの中等、屋内外を問わず設置されて使用するのに適している。
【符号の説明】
【００７６】
１  無線制御装置
２  光ファイバケーブル
３  無線装置
５  携帯電話機
１１  インタフェース部
１２  制御部
１３  ベースバンド処理部
１４  周波数変換部
１５  送受信増幅部
１６  リセット部
１７  スイッチ付き電源部
１８  電源部
１９ａ  電源
１９ｂ  電源
２０    ユーザ信号処理部
１００  移動体通信システム
１１１  信号抽出回路
１１２  オア回路
１１３  フリップフロップ回路
１７１  スイッチ
【図１】
2012186657.tif 000003
【図２】
2012186657.tif 000004
【図３】
2012186657.tif 000005
【図４】
2012186657.tif 000006
【図５】
2012186657.tif 000007
【図６】
2012186657.tif 000008